(57)【要約】  【課題】  ＩＣタグが装着されたシートを利用する構成において、ユーザの負担を軽減しつつ出力物のミスを減らしてコスト低減を図れる画像形成装置を提供すること。  【解決手段】  ＩＣタグライター９１を装置手前側、９２を装置奥側に配し、用紙上のＩＣタグ８との無線通信の可否および通信できた場合のその通信タイミングからＩＣタグ８が用紙上の左上、左下、右上、右下のどの角に位置しているのかを検出すると共にその位置の情報をＩＣタグ８に書き込む。この位置の情報から、用紙のいずれの面にどの方向を天とする画像が形成されたのかが判るので、画像形成後の用紙が原稿として用いられる場合、自動原稿搬送装置において当該原稿のＩＣタグ８から位置の情報を読み出すと共に原稿上におけるＩＣタグ８の位置を検出し、画像形成と読み取りの際のＩＣタグ８の位置を比較することで、原稿が正しくセットされているか否かを判定することができる。【選択図】  図３
2007015820.tif 000002
【特許請求の範囲】
【請求項１】
ＩＣタグが装着されたシートを、搬送路上を搬送させて当該シートに画像を形成する画像形成装置であって、
シート上におけるＩＣタグの装着位置を検出する検出手段と、
前記検出手段により検出された装着位置に関する情報を前記ＩＣタグとの無線通信により前記ＩＣタグに書き込む書込手段と、
を備えることを特徴とする画像形成装置。
【請求項２】
前記検出手段は、
前記シート上において、搬送方向に平行な軸であり搬送方向に直交するシート幅方向長さを略２等分する点を含む縦軸と、搬送方向に直交する軸でありシート搬送方向長さを略２等分する点を含む横軸とにより４分割される領域の内のどの１つの領域にＩＣタグが装着されているのかを検出し、
前記書込手段は、
その領域を示す情報を前記装着位置に関する情報として前記ＩＣタグに書き込むことを特徴とする請求項１に記載の画像形成装置。
【請求項３】
前記検出手段は、
前記搬送路付近に、前記搬送路の幅を略２等分する軸を挟んで一方の側に配置され、ＩＣタグが前記一方の側に位置する状態で前記シートが搬送される際にだけ前記ＩＣタグと通信を行う第１の通信部と、
前記搬送路付近に、前記軸を挟んで前記一方の側と反対の他方の側に配置され、ＩＣタグが前記他方の側に位置する状態で前記シートが搬送される際にだけ前記ＩＣタグと通信を行う第２の通信部と、を備え、
前記第１と第２の通信部によるＩＣタグとの通信可否の結果および搬送されるシートに対しＩＣタグとの通信がどの時点で可能になったのかの結果に基づいてＩＣタグがどの領域に装着されているのかを検出することを特徴とする請求項２に記載の画像形成装置。
【請求項４】
前記第１と第２の通信部は、前記書込手段を兼ねることを特徴とする請求項３に記載の画像形成装置。
【請求項５】
前記４つの領域の各領域について、当該領域にＩＣタグが位置する状態でシートが搬送される場合に当該シートの第１面とその裏側にあたる第２面とのいずれの面に画像が形成され、その画像がＩＣタグの位置に対しどの方向を向いているのかが予め定義された情報を格納している格納手段を備え、
前記書込手段は、前記検出手段による検出結果と前記定義とから前記シートのいずれの面に画像がどの方向を向いているのかを特定し、その特定した情報を前記装着位置に関する情報としてＩＣタグに書き込むことを特徴とする請求項２乃至４のいずれか１項に記載の画像形成装置。
【請求項６】
前記シートの画像形成されるべき面の裏側の面が、画像形成が禁止される禁止面であることの指示を受け付ける指示受付手段を備え、
前記書込手段は、前記指示が受け付けられると、画像形成された面の裏側の面が前記禁止面である旨の禁止情報を前記装着位置に関する情報に含めることを特徴とする請求項５に記載の画像形成装置。
【請求項７】
前記シートの両面に画像を形成する両面画像形成手段を備え、
前記検出手段は、
前記シートの一方の面についてＩＣタグの装着されている領域を検出し、
前記書込手段は、
前記検出手段により検出された前記一方の面上のＩＣタグの装着領域を示す情報と他方の面にも画像が形成されていることを示す情報とを前記装着位置に関する情報としてＩＣタグに書き込むことを特徴とする請求項２乃至５のいずれか１項に記載の画像形成装置。
【請求項８】
ＩＣタグが装着されたシートを原稿として、搬送路上を読み取り位置に向けて搬送させる自動原稿搬送装置であって、
原稿上におけるＩＣタグの装着位置を検出する検出手段と、
前記ＩＣタグに格納されている、前記シートが過去に画像形成用のシートとして用いられたときの前記シート上におけるＩＣタグの装着位置に関する情報を、無線通信により前記ＩＣタグから読み出す読出手段と、
を備えることを特徴とする自動原稿搬送装置。
【請求項９】
前記検出手段は、
前記原稿上において、搬送方向に平行な軸であり搬送方向に直交する原稿幅方向長さを略２等分する点を含む縦軸と、搬送方向に直交する軸であり原稿搬送方向長さを略２等分する点を含む横軸とにより４分割される領域の内のどの１つの領域にＩＣタグが装着されているのかを検出し、
前記装着位置に関する情報は、
前記４つの領域の内のどの領域に装着された状態で画像形成がなされたかを示す情報であることを特徴とする請求項８に記載の自動原稿搬送装置。
【請求項１０】
前記検出手段は、
前記搬送路付近に、前記搬送路の幅を略２等分する軸を挟んで一方の側に配置され、ＩＣタグが前記一方の側に位置する状態で前記原稿が搬送される際にだけ前記ＩＣタグと通信を行う第１の通信部と、
前記搬送路付近に、前記軸を挟んで前記一方の側と反対の他方の側に配置され、ＩＣタグが前記他方の側に位置する状態で前記原稿が搬送される際にだけ前記ＩＣタグと通信を行う第２の通信部と、を備え、
前記第１と第２の通信部による通信可否の結果および搬送される原稿に対しＩＣタグとの通信がどの時点で可能になったのかの結果に基づいて前記ＩＣタグがどの領域に装着されているのかを検出することを特徴とする請求項９に記載の自動原稿搬送装置。
【請求項１１】
前記第１と第２の通信部は、前記読出手段を兼ねることを特徴とする請求項１０に記載の自動原稿搬送装置。
【請求項１２】
前記４つの領域の各領域について、当該領域にＩＣタグが位置する状態で原稿が搬送される場合に当該原稿の第１面とその裏側に当たる第２面とのいずれの面に読み取られるべき画像が形成され、その画像が前記ＩＣタグの位置に対しどの方向を向いているのかが予め定義された情報を格納している格納手段と、
前記検出手段により検出された原稿上のＩＣタグの装着領域、前記読出手段により読み出されたＩＣタグの装着領域に関する情報および前記定義から、前記原稿の表裏の反転が必要か否かを判断し、反転が必要と判断すると、当該原稿の表裏反転を行う制御手段と、を備えることを特徴とする請求項９乃至１１のいずれか１項に記載の自動原稿搬送装置。
【請求項１３】
前記制御手段は、請求項６に記載の画像形成装置により画像形成がなされたシートが原稿として用いられたことにより、前記読出手段によりＩＣタグに格納されている禁止情報が読み出された場合には、前記検出手段により検出されたＩＣタグの装着領域、前記読出手段により読み出されたＩＣタグの装着領域に関する情報および前記定義から、読み取られようとしている原稿の面が前記禁止面に相当するか否かを判断し、前記禁止面に相当する面であることを判断すると、前記読み取り位置に停止させずに通過させて当該面の読み取りが行われないようにすることを特徴とする請求項１２に記載の自動原稿搬送装置。
【請求項１４】
請求項９に記載の自動原稿搬送装置により搬送される原稿の画像を読み取って処理する画像処理装置であって、
前記自動原稿搬送装置の検出手段による検出結果と読出手段により読み出された情報を取得する取得手段と、
前記原稿上において、搬送方向に平行な軸であり搬送方向に直交する原稿幅方向長さを略２等分する点を含む縦軸と、搬送方向に直交する軸であり原稿搬送方向長さを略２等分する点を含む横軸とにより４分割される各領域それぞれに、当該領域にＩＣタグが位置する場合に、前記原稿の第１面とその裏側にあたる第２面のいずれの面に読み取るべき画像が形成され、その画像がＩＣタグの位置に対しどの方向を向いているのかが予め定義された情報を格納している格納手段と、
前記検出手段により検出されたＩＣタグの装着領域、前記読出手段により読み出されたＩＣタグの装着領域に関する情報および前記定義から、読み取られた原稿の画像データに対し回転が必要か否かを判断し、回転が必要と判断すると、前記画像データにその回転に必要な量として予め設定されている角度の回転処理を施す画像処理手段と、を備えることを特徴とする画像処理装置。
【請求項１５】
前記画像処理手段は、
請求項６に記載の画像形成装置により画像形成がなされたシートが原稿として用いられたことにより、前記読出手段によりＩＣタグに格納されている前記禁止情報が読み出された場合には、前記ＩＣタグの装着領域、前記ＩＣタグの装着領域に関する情報および前記定義から、読み取られた原稿の面が前記禁止面に相当する面であるか否かを判断し、前記禁止面に相当する面であることを判断すると、読み取りの禁止される面が読み取られてしまったとしてその旨をユーザに通知または読み取られた画像データを無効として削除することを特徴とする請求項１４に記載の画像処理装置。
【発明の詳細な説明】
【技術分野】
【０００１】
本発明は、ＩＣタグが装着されたシートに画像を形成する画像形成装置、ＩＣタグが装着された原稿を搬送する自動原稿搬送装置および画像処理装置に関する。
【背景技術】
【０００２】
複写機の分野では、原稿給紙トレイにセットされた原稿束から原稿を１枚ずつ繰り出して搬送する自動原稿搬送装置を備えたものが普及している。このような自動原稿搬送装置が装着されていることにより、ユーザは、原稿を１枚ずつ手動で複写機にセットするといった煩わしい操作を行う必要がなく、大変便利である。
ところで、近年、ＩＣタグ、いわゆるＲＦ−ＩＤ（Radio Frequency Identification）が装着された用紙に画像を形成すると共に用紙搬送中に無線通信でＲＦ−ＩＤに電子情報を書き込み、または読み出す機能を有する複写機が提案されている（特許文献１）。また、ＲＦ−ＩＤが装着された用紙が原稿として自動原稿搬送装置にセットされた場合に当該ＲＦ−ＩＤから電子情報を読み出し、または書き込む機能を有する複写機もある。
【特許文献１】特開２００４−８２６００号公報
【発明の開示】
【発明が解決しようとする課題】
【０００３】
上記のような自動原稿搬送装置を使用する場合、ユーザは、原稿束の原稿１枚ずつについてその向き（天地）や表裏が間違っていないかの確認を原稿束のセット前に十分に行っておく必要がある。
なぜなら、例えば原稿束の中の１枚の原稿だけを誤って天地を逆にしてセットしてしまうと、その１枚の原稿だけが天地が逆方向を向いている複写物が得られることになり、ステイプル綴じや穴あけのような後処理が実行された場合、その１枚の原稿のためだけに複写物全体が使い物にならず、やり直しせざるを得ない事態が生じるからである。
【０００４】
やり直しとなると時間が余分にかかり用紙も無駄になる。まして上記のようなＲＦ−ＩＤが装着された用紙を利用する場合には、当該用紙は普通紙に比べて高価なためコスト負担がより大きくなる。
そのため、ユーザにとって自動原稿搬送装置の使用により便利になるが、その一方で事前の確認作業が負担になるという問題がある。
【０００５】
本発明は、上記の問題に鑑みてなされたものであって、ＩＣタグが装着されたシートを利用する構成において、ユーザの負担を軽減しつつ出力物のミスを減らしてコスト低減を図れる画像形成装置、自動原稿搬送装置および画像処理装置を提供することを目的としている。
【課題を解決するための手段】
【０００６】
上記目的を達成するため、本発明に係る画像形成装置は、ＩＣタグが装着されたシートを、搬送路上を搬送させて当該シートに画像を形成する画像形成装置であって、シート上におけるＩＣタグの装着位置を検出する検出手段と、前記検出手段により検出された装着位置に関する情報を前記ＩＣタグとの無線通信により前記ＩＣタグに書き込む書込手段と、を備えることを特徴としている。
【発明の効果】
【０００７】
これにより、例えばＩＣタグにその装着位置が書き込まれたシートが、複写等のために原稿として別の装置にセットされる場合に、当該別の装置を、当該原稿（シート）のＩＣタグから上記装着位置を読み出すと共に、当該原稿においてＩＣタグがどこに位置しているのかを検出可能な構成とすれば、上記装着位置が書き込まれたときのＩＣタグのシート上における位置と、原稿として用いられるときのＩＣタグの位置とを比較し、その比較結果から原稿の表裏、上下の向きが正しい状態でセットされているか否かを判定することが可能になる。仮に、原稿が誤った状態でセットされていることが判定されれば、その誤りを正すように原稿を反転させてから読み取りを開始する処理や、読み取った画像データに必要な角度だけ画像を回転させる画像処理を施す処理などを行うようにすれば、ユーザは原稿のセットにあまり気を使うことなく出力物としてミスがないものを得ることができるという効果を奏する。
【０００８】
また、前記検出手段は、前記シート上において、搬送方向に平行な軸であり搬送方向に直交するシート幅方向長さを略２等分する点を含む縦軸と、搬送方向に直交する軸でありシート搬送方向長さを略２等分する点を含む横軸とにより４分割される領域の内のどの１つの領域にＩＣタグが装着されているのかを検出し、前記書込手段は、その領域を示す情報を前記装着位置に関する情報として前記ＩＣタグに書き込むことを特徴とする。
【０００９】
このようにすれば、装着位置の情報を簡素化することができる。
ここで、前記検出手段は、前記搬送路付近に、前記搬送路の幅を略２等分する軸を挟んで一方の側に配置され、ＩＣタグが前記一方の側に位置する状態で前記シートが搬送される際にだけ前記ＩＣタグと通信を行う第１の通信部と、前記搬送路付近に、前記軸を挟んで前記一方の側と反対の他方の側に配置され、ＩＣタグが前記他方の側に位置する状態で前記シートが搬送される際にだけ前記ＩＣタグと通信を行う第２の通信部と、を備え、前記第１と第２の通信部によるＩＣタグとの通信可否の結果および搬送されるシートに対しＩＣタグとの通信がどの時点で可能になったのかの結果に基づいてＩＣタグがどの領域に装着されているのかを検出することを特徴とする。
【００１０】
このようにすれば、２つの通信部を配置するという簡単な構成でＩＣタグの装着位置を検出することができる。
また、前記第１と第２の通信部は、前記書込手段を兼ねることを特徴とする。
このようにすれば、ＩＣタグの検出と情報の書き込みのための部材の数を少なくでき、もって配置のためのスペースを少なく済ませられると共に低コスト化を実現できる。
【００１１】
さらに、前記４つの領域の各領域について、当該領域にＩＣタグが位置する状態でシートが搬送される場合に当該シートの第１面とその裏側にあたる第２面とのいずれの面に画像が形成され、その画像がＩＣタグの位置に対しどの方向を向いているのかが予め定義された情報を格納している格納手段を備え、前記書込手段は、前記検出手段による検出結果と前記定義とから前記シートのいずれの面に画像がどの方向を向いているのかを特定し、その特定した情報を前記装着位置に関する情報としてＩＣタグに書き込むことを特徴とする。
【００１２】
また、前記シートの画像形成されるべき面の裏側の面が、画像形成が禁止される禁止面であることの指示を受け付ける指示受付手段を備え、前記書込手段は、前記指示が受け付けられると、画像形成された面の裏側の面が前記禁止面である旨の禁止情報を前記装着位置に関する情報に含めることを特徴とする。
このようにすれば、当該シートが原稿として用いられ、その画像が読み取られる際に、読み取られる面が禁止面に相当する面か否かを検出することが可能になり、例えば禁止面を、読み取られるべきではない画像が形成されている面としたときに、当該禁止面に相当する面であることが検出されると、その面の読み取りを中止することで出力物のミスをより減らすことができる。
【００１３】
また、前記シートの両面に画像を形成する両面画像形成手段を備え、前記検出手段は、前記シートの一方の面についてＩＣタグの装着されている領域を検出し、前記書込手段は、前記検出手段により検出された前記一方の面上のＩＣタグの装着領域を示す情報と他方の面にも画像が形成されていることを示す情報とを前記装着位置に関する情報としてＩＣタグに書き込むことを特徴とする。
【００１４】
このようにすれば、当該シートが原稿として用いられる場合、その両面に読み取られるべき画像が形成されていることを検出でき、自動的に両面原稿として扱われることが可能になる。
本発明は、ＩＣタグが装着されたシートを原稿として、搬送路上を読み取り位置に向けて搬送させる自動原稿搬送装置であって、原稿上におけるＩＣタグの装着位置を検出する検出手段と、前記ＩＣタグに格納されている、前記シートが過去に画像形成用のシートとして用いられたときの前記シート上におけるＩＣタグの装着位置に関する情報を、無線通信により前記ＩＣタグから読み出す読出手段と、を備えることを特徴とする。
【００１５】
これにより、例えば過去に画像形成用のシートとして用いられたときの当該シート上におけるＩＣタグの位置と、当該シートが原稿として用いられるときの原稿上におけるＩＣタグの位置とを比較し、その比較結果から原稿の表裏、上下の向きが正しい状態でセットされているか否かを判定するようにすれば、仮に、原稿が誤った状態にあることが判定されれば、その誤りを正すように原稿を反転させてから読み取りを開始する処理を行うことで、ユーザは原稿のセットにあまり気を使うことなく出力物としてミスがないものを得ることができるという効果がある。
【００１６】
また、前記検出手段は、前記原稿上において、搬送方向に平行な軸であり搬送方向に直交する原稿幅方向長さを略２等分する点を含む縦軸と、搬送方向に直交する軸であり原稿搬送方向長さを略２等分する点を含む横軸とにより４分割される領域の内のどの１つの領域にＩＣタグが装着されているのかを検出し、前記装着位置に関する情報は、前記４つの領域の内のどの領域に装着された状態で画像形成がなされたかを示す情報であることを特徴とする。
【００１７】
このようにすれば、装着位置の情報を簡素化することができる。
ここで、前記検出手段は、前記搬送路付近に、前記搬送路の幅を略２等分する軸を挟んで一方の側に配置され、ＩＣタグが前記一方の側に位置する状態で前記原稿が搬送される際にだけ前記ＩＣタグと通信を行う第１の通信部と、前記搬送路付近に、前記軸を挟んで前記一方の側と反対の他方の側に配置され、ＩＣタグが前記他方の側に位置する状態で前記原稿が搬送される際にだけ前記ＩＣタグと通信を行う第２の通信部と、を備え、前記第１と第２の通信部による通信可否の結果および搬送される原稿に対しＩＣタグとの通信がどの時点で可能になったのかの結果に基づいて前記ＩＣタグがどの領域に装着されているのかを検出することを特徴とする。
【００１８】
このようにすれば、２つの通信部を配置するという簡単な構成でＩＣタグの装着位置を検出することができる。
また、前記第１と第２の通信部は、前記読出手段を兼ねることを特徴とする。
このようにすれば、ＩＣタグの検出と情報の読み出しのための部材の数を少なくでき、もって配置のためのスペースを少なく済ませられると共に低コスト化を実現できる。
【００１９】
さらに、前記４つの領域の各領域について、当該領域にＩＣタグが位置する状態で原稿が搬送される場合に当該原稿の第１面とその裏側に当たる第２面とのいずれの面に読み取られるべき画像が形成され、その画像が前記ＩＣタグの位置に対しどの方向を向いているのかが予め定義された情報を格納している格納手段と、前記検出手段により検出された原稿上のＩＣタグの装着領域、前記読出手段により読み出されたＩＣタグの装着領域に関する情報および前記定義から、前記原稿の表裏の反転が必要か否かを判断し、反転が必要と判断すると、当該原稿の表裏反転を行う制御手段と、を備えることを特徴とする。
【００２０】
このようにすれば、たとえ原稿の表裏が誤ってセットされたとしても自動的に正しい状態でセットされたときと同じ条件で読み取りが行われることが可能になり、出力物のミスを低減できる。
また、前記制御手段は、上記の画像形成装置により画像形成がなされたシートが原稿として用いられたことにより、前記読出手段によりＩＣタグに格納されている禁止情報が読み出された場合には、前記検出手段により検出されたＩＣタグの装着領域、前記読出手段により読み出されたＩＣタグの装着領域に関する情報および前記定義から、読み取られようとしている原稿の面が前記禁止面に相当するか否かを判断し、前記禁止面に相当する面であることを判断すると、前記読み取り位置に停止させずに通過させて当該面の読み取りが行われないようにすることを特徴とする。
【００２１】
このようにすれば、禁止面に相当する面の読み取りを中止することができ出力物のミスをより減らすことが可能になる。
本発明は、上記の自動原稿搬送装置により搬送される原稿の画像を読み取って処理する画像処理装置であって、前記自動原稿搬送装置の検出手段による検出結果と読出手段により読み出された情報を取得する取得手段と、前記原稿上において、搬送方向に平行な軸であり搬送方向に直交する原稿幅方向長さを略２等分する点を含む縦軸と、搬送方向に直交する軸であり原稿搬送方向長さを略２等分する点を含む横軸とにより４分割される各領域それぞれに、当該領域にＩＣタグが位置する場合に、前記原稿の第１面とその裏側にあたる第２面のいずれの面に読み取るべき画像が形成され、その画像がＩＣタグの位置に対しどの方向を向いているのかが予め定義された情報を格納している格納手段と、前記検出手段により検出されたＩＣタグの装着領域、前記読出手段により読み出されたＩＣタグの装着領域に関する情報および前記定義から、読み取られた原稿の画像データに対し回転が必要か否かを判断し、回転が必要と判断すると、前記画像データにその回転に必要な量として予め設定されている角度の回転処理を施す画像処理手段と、を備えることを特徴とする。
【００２２】
このようにすれば、たとえ原稿の上下（天地）が誤った状態で読み取られたとしても自動的に正しい状態でセットされたときと同じ条件で処理することが可能になり、出力物のミスを低減できる。
また、前記画像処理手段は、上記の画像形成装置により画像形成がなされたシートが原稿として用いられたことにより、前記読出手段によりＩＣタグに格納されている前記禁止情報が読み出された場合には、前記ＩＣタグの装着領域、前記ＩＣタグの装着領域に関する情報および前記定義から、読み取られた原稿の面が前記禁止面に相当する面であるか否かを判断し、前記禁止面に相当する面であることを判断すると、読み取りの禁止される面が読み取られてしまったとしてその旨をユーザに通知または読み取られた画像データを無効として削除することを特徴とする。
【００２３】
このようにすれば、禁止面に相当する面が読み取られたとしてもそのことをユーザが知ることができ、また自動的に画像データを破棄することで出力物のミスをより減らすことが可能になる。
【発明を実施するための最良の形態】
【００２４】
以下、本発明に係る画像形成装置、自動原稿搬送装置および画像処理装置の実施の形態を、タンデム型カラーデジタル複写機（以下、単に「複写機」という。）を例にして説明する。
図１は、複写機１の全体構成を示す図である。
同図に示すように、複写機１は、自動原稿搬送装置１０、画像読取部３０、プリンタ部４０を備えている。
【００２５】
自動原稿搬送装置１０は、原稿を自動的に画像読取部３０に送る装置であり、原稿の片面側だけを読み取る片面読み取りモードと、原稿の両面を読み取る両面読み取りモードを実行する機能を有している。
片面読み取りモードでは、原稿給紙トレイ１１に載置された原稿を給紙ローラ１２、捌きローラ１３、捌きパッド１４により１枚ずつ分離しガイド１５に沿って下方に送り、さらにレジストローラ１６および搬送ベルト１７によって、プラテンガラス３１上に設定された所定の原稿読取基準位置まで搬送させて停止させる。
【００２６】
原稿読取基準位置に搬送された原稿（表面）は、画像読取部３０のスキャナ３３によりスキャンされる。スキャン後、原稿読取基準位置に停止している原稿を再び搬送ベルト１７により図の右方向に送り、排紙ローラ１８を経て原稿排紙トレイ１９上に排出させる。
一方、両面読み取りモードでは、原稿（表面）のスキャン後、切換爪２０により原稿の搬送路を反転ローラ２１方向に切り換え、当該反転ローラ２１により原稿を反転させて再びプラテンガラス３１方向へ移送し、さらに搬送ベルト１７によりプラテンガラス３１の上記原稿読取基準位置まで搬送させて停止させる。
【００２７】
そして、当該原稿（裏面）がスキャンされると、搬送ベルト１７を駆動させて原稿を図の右方向に搬送し、上述の排紙動作によって原稿排紙トレイ１９上に排出させると共に、原稿給紙トレイ１１に載置された次の原稿を原稿読取基準位置まで送る。
原稿給紙トレイ１１には、原稿サイズを検出するための原稿サイズ検出センサ２７、２８が配設されている。
【００２８】
原稿サイズ検出センサ２７は、原稿の主走査方向長さを検出するためのものであり、原稿サイズ検出センサ２８は、原稿の副走査方向（原稿搬送方向）長さを検出するためのものである。
原稿サイズ検出センサ２７（２８）は、複数のセンサ（不図示）、ここでは発光素子と受光素子を有する反射型の光電センサが主走査（副走査）方向に各原稿サイズに対応する所定位置に一列に配置されてなる。各光電センサは、発光素子から上方に向けて発せられた光が原稿に当たって反射し、その反射光が受光素子で検出されると原稿有りを示す信号、反射光が検出されなければその位置に原稿が無いことを示す信号を原稿給送／画像読み取り制御部１０１（図１０参照）に送る。
【００２９】
原稿給送／画像読み取り制御部１０１は、各センサからの信号に基づいて原稿サイズを検出する。具体的には、どのセンサから原稿有り信号があれば、原稿がどのサイズであり、縦または横のいずれの方向にセットされたかについての情報を予め有しており、当該情報と各センサからの原稿有り信号に基づいて原稿サイズおよび縦／横のセットを特定するものである。
【００３０】
原稿給送部２９には、ＩＣタグリーダー２５、２６が配置されている。
図２は、図１の矢印Ｂ方向から原稿給送部２９を見たときの平面図であり、ＩＣタグ８が装着された用紙が原稿として原稿給紙トレイ１１上にセットされている様子を示したものである。
本実施の形態では、原稿は、基本的に原稿給紙トレイ１１上において画像面が表側かつ画像の天が同図右側に向くようにセットされる。以下、本実施の形態では、用紙（原稿として用いられる場合を含む。）として、その４角の内のいずれか１つの角に１個のＩＣタグ８が装着された（埋め込まれた）用紙が使用されるものとする。
【００３１】
同図に示すように、ＩＣタグリーダー２５は、装置手前側に配置され、ＩＣタグリーダー２６は、装置奥側に配置されており、これらは、原稿搬送方向に略同位置にあり、原稿搬送方向に直交する方向（以下、「ＣＤ方向」という。）に一定の距離をおいた位置関係になっている。
ＩＣタグリーダー２５、２６は、原稿に埋め込まれたＩＣタグ８と無線通信を行うと共に必要な情報を読み出す機能を有するものであり、送受信用アンテナとコントロールＩＣからなる公知の構成を有し、短い周期で定期的にリクエスト信号を発しており、ＩＣタグ８が無線通信可能範囲に入ると、原稿毎にそのＩＣタグ８からの当該リクエスト信号に対する応答信号を受信することで、ＩＣタグ８を検出すると共に通信を行い、その検出結果（通信の可否）と読み出した情報を原稿給送／画像読み取り制御部１０１に送る。
【００３２】
ここで、ＩＣタグリーダー２５は、ＩＣタグ８が装置手前側に位置する状態で原稿がセットされ当該原稿が給送されたときにだけ、そのＩＣタグ８と通信を行えるようにその通信可能範囲が設定されている。また、ＩＣタグリーダー２６は、ＩＣタグ８が装置奥側に位置する状態（同図の状態）で原稿がセットされ当該原稿が給送されたときにだけ、そのＩＣタグ８と通信を行えるようにその通信可能範囲が設定されている。このように２つのＩＣタグリーダー２５、２６を配置する構成とした理由については、後述する。
【００３３】
図１に戻って、画像読取部３０は、スキャナ３３、ＣＣＤイメージセンサ３９等を備えている。スキャナ３３は、プラテンガラス３１の下方をスキャナモータ（不図示）の駆動により図の矢印Ａ方向に移動する。このスキャナ３３には、露光ランプ３４とこの露光ランプ３４の照射による原稿からの反射光をプラテンガラス３１に平行な方向に反射するミラー３５が設置され、この反射光はさらにミラー３６、３７および集光レンズ３８を介してＣＣＤイメージセンサ３９まで導かれる。
【００３４】
ＣＣＤイメージセンサ３９によって光電変換されて得られた画像データは、画像処理部１０４（図１０）においてＡ／Ｄ変換されて、赤（Ｒ）、緑（Ｇ）、青（Ｂ）成分の電気信号となり、さらにシェーディング補正などの公知の処理を加えられた後、イエロー（Ｙ）、マゼンタ（Ｍ）、シアン（Ｃ）およびブラック（Ｋ）の各再現色の階調データに変換され、画像処理用データ記録部１０５（図１０）に格納される。以下、イエロー、マゼンタ、シアン、ブラックの各再現色をそれぞれ「Ｙ，Ｍ，Ｃ，Ｋ」と表す。
【００３５】
プリンタ部４０は、周知の電子写真技術を利用して記録シートとしての用紙上に画像を形成するものであり、作像ユニット５０Ｙ〜５０Ｋ、中間転写部６０、給紙搬送部７０、定着部７６、反転部８０等を備え、用紙の片面側にだけ画像を形成する片面コピーモードと、用紙の両面にそれぞれ画像を形成する両面コピーモードを実行可能になっている。
作像ユニット５０Ｙ〜５０Ｋは、中間転写ベルト６１に沿って所定間隔で直列に配置されており、像担持体としての感光体ドラム５３Ｙ〜５３Ｋと、その周囲に配設されたプリントヘッド５１Ｙ〜５１Ｋと、帯電器５４Ｙ〜５４Ｋ、現像器５５Ｙ〜５５Ｋ、中間転写ベルト６１を挟んで感光体ドラム５３Ｙ〜５３Ｋと対向する一次転写ローラ５６Ｙ〜５６Ｋおよびクリーナ（不図示）などを備えている。
【００３６】
中間転写部６０は、中間転写ベルト６１と、同ベルトが張架される駆動ローラ６２と従動ローラ６３、６４などを備えている。
給紙搬送部７０は、用紙を収容する給紙カセット７１と、給紙カセット７１内の用紙を１枚ずつ繰り出す繰り出しローラ７２と、用紙を用紙搬送路９０に沿って搬送する搬送ローラ対７３と、搬送される用紙を二次転写位置７５１に送り出すタイミングをとるタイミングローラ対７４と、二次転写位置７５１において中間転写ベルト６１を挟んで駆動ローラ６２に圧接される二次転写ローラ７５と、排出ローラ対７７等を備えている。
【００３７】
給紙カセット７１には、その上部に用紙サイズ検出センサ７１１が配置されている。用紙サイズ検出センサ７１１は、収容される用紙サイズおよびその用紙が縦方向／横方向のいずれの方向にセットされているのかを検出する公知のセンサである。
反転部８０は、両面コピーモード実行において、用紙の１面目への画像形成終了後の用紙を反転させて２面目への画像形成を可能にさせる。
【００３８】
このような構成において、片面コピーモードでは、画像処理用データ記録部１０５から必要な画像データが読み出され、画像処理部１０４においてプリントヘッド５１Ｙ〜５１Ｋを駆動させるための駆動信号が生成される。
プリントヘッド５１Ｙ〜５１Ｋは、画像処理部１０４からの駆動信号を受けてレーザ光を発し、感光体ドラム５３Ｙ〜５３Ｋ上を主走査方向に露光走査させる。
【００３９】
感光体ドラム５３Ｙ〜５３Ｋは、前記露光を受ける前にクリーナで表面の残存トナーが除去され、不図示のイレーサランプに照射されて除電された後、帯電器５４Ｙ〜５４Ｋにより一様に帯電されており、このように一様に帯電した状態で上記レーザ光による露光を受けると、感光体ドラム５３Ｙ〜５３Ｋの表面に静電潜像が形成される。
各静電潜像は、それぞれ各色の現像器５５Ｙ〜５５Ｋにより現像され、これにより感光体ドラム５３Ｙ〜５３Ｋ表面にＹ、Ｍ、Ｃ、Ｋ色のトナー像が作像され、一次転写位置において一次転写ローラ５６Ｙ〜５６Ｋの静電的作用により、矢印Ｄ方向に回転する中間転写ベルト６１上に順次転写されていく。この際、各色の作像動作は、そのトナー像が中間転写ベルト６１上の同じ位置に重ね合わせられるように、Ｙ、Ｍ、Ｃ、Ｋ色の順にタイミングをずらして実行される。
【００４０】
一方、中間転写ベルト６１上の各色トナー像の作像タイミングに合わせて、給紙搬送部７０からは、タイミングローラ対７４を介して用紙が給送されて来ており、二次転写位置７５１において二次転写ローラ７５と駆動ローラ６２間に生じる静電的作用により、中間転写ベルト６１上のトナー像が用紙の片面（第１面）に二次転写される。二次転写位置７５１を通過した用紙は、定着部７６に搬送され、ここでトナー像が加圧、加熱されて用紙の第１面に定着され、排出ローラ対７７を介して排出トレイ７８上に排出される。
【００４１】
両面コピーモードの場合には、第１面に画像が形成された後の用紙の後端部分が排出ローラ対７７の位置まで搬送された時点で排出ローラ対７７を逆回転させ、当該用紙を矢印Ｅ方向に向けて反転路８５に導き、搬送ローラ対８１、８２、８３、８４を介して再び用紙搬送路９０に導く。これにより、反転部８０を通過した用紙は、第１面の裏側にあたる第２面が中間転写ベルト６１側に向くことになる。用紙搬送路９０を搬送される用紙は、その第２面にトナー像の二次転写、定着等の処理が第１面の場合と同様に行われた後、排出ローラ対７７を介して排出トレイ７８に排出される。
【００４２】
画像読取部３０の前面の操作しやすい位置には、点線で示すように操作パネル１１１が設けられており、ユーザがコピー枚数を入力するためのテンキーやコピー開始を指示するためのコピーキー、コピーモードや綴じ位置、原稿の片面または両面読み取りモードを設定するためのキーなどが設けられている。
プリンタ部４０の用紙搬送路９０付近には、用紙に埋め込まれたＩＣタグ８と無線通信を行うと共に必要な情報を書き込む機能を有するＩＣタグライター９１、９２が配置されている。
【００４３】
ＩＣタグライター９１、９２は、ＩＣタグリーダー２５、２６と同様に送受信用アンテナとコントロールＩＣを備え、定期的にリクエスト信号を発しており、用紙毎にそのＩＣタグ８からの当該リクエスト信号に対する応答信号を受信することで、ＩＣタグ８を検出すると共に通信を行い、その検出結果（通信の可否）を用紙搬送／画像形成制御部１０２（図１０）に送る。
【００４４】
図３は、ＩＣタグライター９１、９２が配置されている様子を図１の矢印Ｃ方向から見たときの斜視図であり、搬送される用紙に装着されたＩＣタグ８とＩＣタグライター９１、９２との位置関係が判り易くなるように、搬送ローラ対７３等の部材を省略している。
同図に示すように、ＩＣタグライター９１は、装置手前側に配置され、ＩＣタグライター９２は、装置奥側に配置されており、これらは、用紙搬送方向に略同位置にあり、ＣＤ方向に一定の距離をおいた位置関係になっている。
【００４５】
ＩＣタグライター９１は、ＩＣタグ８が装置手前側に位置する状態で給紙カセット７１にセットされた用紙が搬送されるときにだけ、そのＩＣタグ８と通信を行えるようにその通信可能範囲が設定されている。一方、ＩＣタグライター９２は、ＩＣタグ８が装置奥側に位置する状態でセットされた用紙（同図の状態）が搬送されるときにだけ、そのＩＣタグ８と通信を行えるようにその通信可能範囲が設定されている。この通信可能範囲の詳細については後述する。
【００４６】
このように２つのＩＣタグライター９１、９２を配置するのは、搬送中の用紙のどの角にＩＣタグ８が位置しているのかを検出するためである。
すなわち、４角の内のいずれか１つの角に１個のＩＣタグ８が装着された用紙を使用する場合、ユーザは、通常、用紙の表裏や前後を気にせずに給紙カセット７１に用紙をセットするので、用紙は、そのセット方法によって４つの態様の内のいずれかの態様でセットされることになる。この態様を具体的に図４と図５を用いて説明する。
【００４７】
図４は、用紙が横姿勢で搬送されるときの用紙の４つの態様と各態様のＩＣタグ８の位置関係を示した模式図である。
同図では、搬送される用紙を図３の矢印Ｆ方向（ＩＣタグライター９１、９２側）から見て、用紙搬送方向を「上方向」、反対方向を「下方向」、装置手前側を「右方向」、装置奥側を「左方向」と規定したとき、当該用紙上のＩＣタグ８の位置が「左上」に来る態様とした場合に表側となる面をＡ面、裏側となる面をＢ面と定義している。この「左上」の態様は、図３に示す用紙の搬送状態に相当し、この場合、画像はＡ面に形成されることになる。
【００４８】
「左上」の態様の用紙を１８０°回転させると、「右下」の態様になり、この「右下」の態様ではＩＣタグ８が装置手前側に位置した状態で用紙が搬送され、Ａ面に画像が形成される。
また、「左上」の態様の用紙を上下反転させると、「左下」の態様になり、この「左下」の態様ではＩＣタグ８が装置奥側に位置した状態で用紙が搬送され、Ｂ面に画像が形成される。
【００４９】
さらに、「左上」の態様の用紙を左右反転させると、「右上」の態様になり、この「右上」の態様ではＩＣタグ８が装置手前側に位置した状態で用紙が搬送され、Ｂ面に画像が形成されることになる。
図５は、４つの態様において画像形成面となる面に同じ正立画像（ここでは、上下の区別をし易いアルファベット文字の例を示している。）を形成した場合の各態様を示す図であり、各態様にパターン番号１〜４を付与して区別している。
【００５０】
具体的には、パターン１は、Ａ面に正立画像が形成されＩＣタグ８が左上に位置する状態を示している。パターン２は、Ｂ面に正立画像が形成されＩＣタグ８が右上に位置する状態を示している。同様に、パターン３は、Ｂ面に正立画像が形成されＩＣタグ８が左下に位置する状態を、パターン４は、Ａ面に正立画像が形成されＩＣタグ８が右下に位置する状態を示している。
【００５１】
一方、用紙が縦姿勢で搬送される場合も図６に示すように４つの態様に分けることができ、図７に示すように、各態様にパターン５〜８を対応付けることができる。
すなわち、パターン５は、用紙が縦姿勢で搬送される場合であって、Ａ面に正立画像が形成されＩＣタグ８が右上に位置する状態を示している。パターン６は、Ｂ面に正立画像が形成されＩＣタグ８が左上に位置する状態を、パターン７は、Ｂ面に正立画像が形成されＩＣタグ８が右下に位置する状態を、パターン８は、Ａ面に正立画像が形成されＩＣタグ８が左下に位置する状態を示したものである。
【００５２】
ここで、ＩＣタグ８が用紙先端側に位置する状態（パターン１、２、５、６）で用紙が搬送されるときの用紙の方向を「用紙方向ａ」、後端側に位置する状態（パターン３、４、７、８）で用紙が搬送されるときの用紙の方向を「用紙方向ｂ」と定義する。
用紙が横姿勢で搬送される場合、４通りの態様が存在することになるが、いずれの態様でもＩＣタグ８の位置が同一にならず、その位置が用紙上の上側、下側、左側、右側の組み合わせ４パターンの内のいずれか１つのパターンになる。このことは、用紙が縦姿勢で搬送される場合も同様である。
【００５３】
従って、ＩＣタグライター９１を装置手前側に配すると共にパターン２、４、５、７で用紙が搬送されるときにだけその用紙のＩＣタグ８と通信できる（すなわち、パターン１、３、６、８で用紙が搬送される場合には通信できない）ようにＩＣタグ８との無線通信可能範囲を限定する構成にすれば、通信の可否により、搬送中の用紙がパターン２、４、５、７であるか否かを判断できる。
【００５４】
ＩＣタグ８との通信ができたことによりパターン２、４、５、７のいずれかであることを判断すると、用紙の姿勢（縦／横）、および用紙上におけるＩＣタグ８の用紙搬送方向の位置（用紙先端側／後端側）を検出することで、パターン２、４、５、７の内、いずれのパターンであるかを検出できることになる。なお、用紙の姿勢（縦／横）は、給紙カセット７１の用紙サイズ検出センサ７１１により検出される。
【００５５】
また、ＩＣタグ８の位置が用紙先端と後端のいずれの側であるかの検出については、例えば用紙の繰り出し開始からＩＣタグ８との通信可能時までの経過時間を測定し、その経過時間が、用紙先端側にＩＣタグ８があるとしたときに繰り出し開始からＩＣタグライター９１の無線通信可能な範囲に入るまでのＩＣタグ８の移動に要すると想定される所定時間の範囲内に入る場合には用紙先端側、それよりも長い場合には用紙後端側とすることで行える。
【００５６】
このことは、ＩＣタグライター９２についても同様である。ＩＣタグライター９２を装置奥側に配置すると共に、パターン１、３、６、８で用紙が搬送されるときにだけその用紙のＩＣタグ８と通信できる（パターン２、４、５、７の場合には通信できない）ように無線通信可能範囲を限定する構成にすれば、通信の可否により、搬送中の用紙がパターン１、３、６、８であるか否かを判断でき、さらに、用紙の姿勢（縦／横）およびＩＣタグ８の用紙上の位置（先端側／後端側）を検出することで、パターン１、３、６、８の内、いずれのパターンであるかを検出できる。
【００５７】
パターン１〜４は、用紙の４角の内のどの角（用紙上において、搬送方向に平行な軸であり搬送方向に直交する用紙幅方向（ＣＤ方向）長さを略２等分する点を含む縦軸と、搬送方向に直交する軸であり用紙搬送方向長さを略２等分する点を含む横軸とにより４分割される領域の内のどの１つの領域）に、ＩＣタグ８が位置しているのかを示すものであり、これは用紙の画像形成面（Ａ面またはＢ面）、方向（ａまたはｂ）および姿勢（横）を示したものでもある。また、方向は、パターン１とパターン４の関係のようにＩＣタグ８の位置に対する画像の天地を示している。このことは、パターン５〜８についても同様である。
【００５８】
従って、ある用紙がどのパターンで画像形成されたものであるのかが判れば、当該用紙がどの姿勢でＡ面とＢ面のいずれの面に天がどの方向を向いている画像が形成されたものなのかを知得できることになる。
そこで、本実施の形態では、（ａ）用紙がどの態様（パターン）で画像形成されたのかを検出し、その検出結果（パターン情報）を当該用紙のＩＣタグ８に書き込むパターン情報書き込み処理を実行する。（ｂ）当該ＩＣタグ８にパターン情報が書き込まれた用紙が原稿として用いられ複写が実行される場合に、自動原稿搬送装置１０のＩＣタグリーダー２５または２６がＩＣタグ８からパターン情報を読み出す。これにより、当該原稿がどのパターンで画像形成がなされたものなのか、すなわちどの姿勢でＡ面とＢ面のいずれの面に画像の天がどの方向を向いているものなのかを知ることができる。
【００５９】
そして、（ｃ）画像形成の際と同様の手法、具体的には原稿上のＩＣタグ８がＩＣタグリーダー２５と２６のいずれにより検出され、原稿先端からどのタイミングで検出されたのかにより原稿上のＩＣタグ８の位置を検出すると共に、原稿検出センサ２７、２８により原稿姿勢を検出することで、原稿としてセットされているシートの画像形成面、方向、姿勢を特定する。
【００６０】
（ｄ）特定した画像形成面等の情報と、パターン情報による画像形成面等の情報から、原稿の向き等が正しい状態でセットされているか否かを検出し、正しくない、すなわち誤っていること、例えば多数枚の原稿の内、ユーザの誤りにより１枚だけ天地が逆になっていることを検出すると、原稿画像を読み取った後、当該１枚の原稿の画像データを、天地を逆転させる１８０°回転等の処理により補正することで、ミスコピーを減らすと共にユーザの負担の軽減を図っている。この意味で、パターン１〜８、ＩＣタグ８が位置しているのかを示したものであり、これは用紙の画像形成面（Ａ面またはＢ面）、用紙方向（ａまたはｂ）および用紙の姿勢（横）を示すものでもある。このパターン情報書き込み処理および複写処理の詳細については後述する。
【００６１】
図８は、ＩＣタグライター９１、９２を図３の矢印Ｆ方向から見たときのＩＣタグ８との無線通信可能範囲を模式的に示す平面図である。ここで、同図の幅方向とはＣＤ方向に相当する。太い破線９０２は、用紙幅を２等分する中心軸を、細い破線９０１は、用紙搬送路９０の幅を２等分する中心軸を示している。これより、用紙は、その中心軸９０２が用紙搬送路９０の中心軸９０１と略一致する位置関係になる状態で搬送されることがわかる。
【００６２】
楕円形の一点鎖線９１１は、ＩＣタグライター９１のＩＣタグ８との無線通信可能範囲であり、ＩＣタグ８の検出・識別率が１００パーセントの範囲を示している。また、楕円形の二点鎖線９１２の範囲（一点鎖線９１１の範囲を除く範囲）は、ＩＣタグライター９１によるＩＣタグ８の検出・識別率が０〜１００パーセント未満の範囲、すなわち検出・識別できる場合もあればできない場合もある範囲を示している。
【００６３】
一方、楕円形の一点鎖線９２１は、ＩＣタグライター９２のＩＣタグ８との無線通信可能範囲であり、ＩＣタグ８の検出・識別率が１００パーセントの範囲を示している。また、楕円形の二点鎖線９２２の範囲（一点鎖線９２１の範囲を除く範囲）は、二点鎖線９１２と同様に、ＩＣタグライター９２によるＩＣタグ８の検出・識別率が０〜１００パーセント未満の範囲を示している。
【００６４】
一点鎖線９１１の範囲は、用紙がパターン２、４、５、７の状態で搬送されたときにだけその用紙のＩＣタグ８を検出、識別でき、一点鎖線９２１の範囲は、用紙がパターン１、３、６、８の状態で搬送されたときにだけその用紙のＩＣタグ８を検出、識別できるように、予め実験等において、ＩＣタグライター９１、９２の配設位置、ＩＣタグライター９１、９２から発せられるリクエスト信号の出力の大きさ、発せられる信号が他方の検出識別範囲に及ばないように遮蔽するシールドの配置等が調整、工夫されることにより設定される。
【００６５】
これより、搬送される用紙の内、二点鎖線９１２、９２２の重なる範囲が検知・識別不可能領域９３０になり、検知・識別不可能領域９３０を挟んだ両側が検知・識別可能領域９１０、９２０になる。
図９は、一点鎖線９１１の範囲の用紙搬送方向長さを説明するための図である。同図の太い破線９０３は、用紙の搬送方向長さを２等分する中心軸を示しており、Ｌは、搬送方向長さを２等分する長さを示している。
【００６６】
同図より、一点鎖線９１１の範囲の用紙搬送方向長さがＬよりも短くなるように設定されていることが判る。これは、搬送される用紙のＩＣタグ８が先端側と後端側のいずれに位置しているのかを検出、識別し易くするためである。このことは、一点鎖線９２１の範囲についても同様である。
上記のようなＩＣタグライター９１、９２の通信可能範囲が設定されている場合、用紙面上において、図８に示す検知・識別可能領域９１０または９２０内であり、図９に示す検知・識別可能領域９４１、９４２内（検知・識別不可能領域９４０外）にＩＣタグ８を埋め込めば、確実に用紙がパターン１〜８の内のいずれのパターンで搬送されたのかを検出することができる。
【００６７】
なお、ＩＣタグリーダー２５、２６の通信可能範囲もＩＣタグライター９１、９２の通信可能範囲と同様の範囲になるように予め実験等により設定される。
図１０は、複写機１の制御部１００の構成を示したブロック図である。
同図に示すように、制御部１００は、主な構成要素として、原稿給送／画像読み取り制御部１０１、用紙搬送／画像形成制御部１０２、用紙給紙／搬送駆動部１０３、画像処理部１０４、画像処理用データ記録部１０５、パターン情報格納部１０６、判定情報格納部１０７、１０８を備えている。
【００６８】
原稿給送／画像読み取り制御部１０１は、自動原稿搬送装置１０の片面読み取りモードと両面読み取りモードによる原稿給紙、搬送、排出等の処理を制御する。また、画像読取部３０によるスキャナ３３等の原稿画像のスキャン処理等を制御する。さらに、原稿サイズ検出センサ２７、２８からの検出信号に基づいて、原稿給紙トレイ１１にセットされている原稿のサイズおよび姿勢（縦／横）を検出する。
【００６９】
また、ＩＣタグリーダー２５、２６の動作を制御し、原稿１枚毎に、当該原稿についてＩＣタグリーダー２５、２６から送られて来るＩＣタグ検出結果（通信の可否）とＩＣタグ８から読み出したパターン情報を受信し、原稿が誤りなくセットされているか否かを検出する。誤ってセットされていることを検出すると、その検出結果を必要に応じて用紙搬送／画像形成制御部１０２に伝え、画像データの回転等の補正を指示する。
【００７０】
用紙搬送／画像形成制御部１０２は、プリンタ部４０を統括的に制御して、片面コピーモードと両面コピーモードによる円滑な画像形成動作を実現する。また、用紙サイズ検出センサ７１１からの検出信号に基づいて、給紙カセット７１にセットされている用紙のサイズおよび姿勢（縦／横）を検出する。
さらに、ＩＣタグライター９１、９２の動作を制御して、搬送される用紙１枚毎に、当該用紙についてＩＣタグライター９１、９２から送られて来るＩＣタグ検出結果（通信の可否）を受信し、その受信結果と当該用紙の姿勢からパターン１〜８の内、どのパターンによるものかを特定し、その特定結果をパターン情報として当該用紙のＩＣタグ８に書き込ませる。
【００７１】
用紙給紙／搬送駆動部１０３は、給紙ローラ７２、タイミングローラ対７４、中間転写ベルト６１等のローラ、ベルト類の駆動モータ（不図示）の回転制御を行う。
画像処理部１０４は、画像読取部３０から画像バスラインを介して画像データを受信すると、上記のようにシェーディング等の補正を施すと共にＹ、Ｍ、Ｃ、Ｋの再現色の画像データに変換して画像処理用データ記録部１０５に格納させる。また、画像処理用データ記録部１０５から画像データを読み出すと、読み出した画像データに必要に応じて回転等の画像処理を施した後、その画像データに基づいてプリントヘッド５１Ｙ〜５１Ｋの駆動信号を生成してプリントヘッド５１Ｙ〜５１Ｋを駆動させる。
【００７２】
パターン情報格納部１０６は、不揮発性メモリからなり、搬送中の用紙がどの態様のときにパターン情報としてどのような情報をＩＣタグ８に書き込むべきなのかを示す対応情報が書き込まれており、パターン情報の書き込みの際に参照される。
図１１は、パターン情報格納部１０６に格納されている対応情報をテーブル形式で示した図である。
【００７３】
同図に示すように、対応情報テーブル１０６０には、画像の形成方向欄、用紙姿勢欄、ＩＣタグ検出位置欄、用紙態様判定結果欄、横倒し／正立変換欄および書き込み内容欄が設けられている。
画像の形成方向欄は、形成画像が「正立」の場合と「横倒し」の場合に分けられている。ここで、形成画像が「正立」とは、図５、図７のように、用紙搬送方向と画像の天の向きが一致している状態をいい、通常ではこの正立の状態で画像形成がなされる。
【００７４】
一方、「横倒し」とは、図１２に示すように、用紙搬送方向に対し画像の天の向きが反時計方向に９０°回転した（横に倒した）状態をいう。このような横倒しは、例えば本来であれば「縦」姿勢の用紙に画像形成すべきところ（図７のパターン５など）、給紙カセット７１に「横」姿勢の用紙しかセットされていないため、図１２（ａ）の横姿勢の例のように、「横」姿勢の用紙を搬送させると共にその「横」姿勢の用紙に対応すべく画像データに９０°の回転処理等の補正を施して画像形成を行う場合に発生する。この横倒しを行った場合、図１２（ａ）の状態のものがコピー出力されることになるが、この用紙を時計方向に９０°回転させると、図７のパターン５の状態でコピー出力されたものと実質同じになるため、ユーザにとって見れば同じ出力物が得られることになる。
【００７５】
また、本来「横」姿勢の用紙に画像形成すべきところ、「縦」姿勢の用紙しかない場合には、図１２（ｂ）の例のようになる。
図１１に戻って、用紙姿勢欄には、用紙の姿勢として「横」と「縦」の項目が設けられている。
ＩＣタグ検出位置欄には、ＩＣタグ８の用紙上での位置として「装置の手前／奥」と「用紙の先端と後端」の項目が設けられている。
【００７６】
用紙態様判定結果欄には、画像形成面Ａ／Ｂ、用紙方向ａ／ｂ、パターン番号１〜８の各項目が設けられており、その内容は、図５、７に示すパターン１〜８の内容に対応したものになっている。
横倒し／正立変換欄には、横倒しが行われた場合、正立の場合のパターン番号を何番に変換する必要があるかを示す情報が格納されている。これは、上記パターン１〜８は、正立画像の場合を基準に定義されたものであるので、例えば横倒しが行われる場合、その用紙が図５のパターン１の態様と判定されたとしても、画像の天の向きは図１２（ａ）の例のようにパターン１の正立画像の向きと異なっており、そのため実際の出力物の画像の向きを表すパターン番号に変換しておく必要があるからである。具体的には、例えば正立画像でパターン１と判定された場合、横倒しが行われると実質パターン５と同じになるので、パターン５が変換後の番号ということになる（欄１０６２参照）。
【００７７】
書き込み内容欄には、判定されたパターン１〜８に対応するＩＣタグ８へのパターン情報としての書き込み内容を示す情報が格納されている。
用紙搬送／画像形成制御部１０２は、搬送される用紙について、その姿勢、用紙上のＩＣタグ８の位置が検出されると、その検出結果に適合するＩＣタグ８への書き込み内容を、当該テーブルの「画像の形成方向」欄〜「横倒し／正立変換」欄までの内容を参照して決める。
【００７８】
例えば、画像が「正立」、姿勢が「横」、ＩＣタグの位置が「装置奥側」かつ「用紙先端」の場合には、用紙態様として画像形成面「Ａ面」、用紙方向「ａ方向」になり、パターン番号は「１」になる（欄１０６１）。この場合、パターン情報としては、画像形成面「Ａ」、用紙方向「ａ」、用紙姿勢「横」を対応付けた情報が「ＩＣタグの装着位置に関する情報」としてＩＣタグ８に書き込まれることになる。なお、パターン番号が「１」である旨の情報を書き込むとしても良い。
【００７９】
また、例えば「横倒し」で図１２（ａ）の状態の場合には、欄１０６２に示すように用紙態様はパターン１と同じ「Ａ面」、「ａ方向」であるが、「横倒し／正立変換」欄の「１」から「５」への変換により、パターン番号が「５」になって、画像形成面「Ａ」、用紙方向「ａ」、用紙姿勢「縦」を対応付けた情報がパターン情報として書き込まれることになる。
【００８０】
同様に、例えば「横倒し」で図１２（ｂ）の場合には、欄１０６３に示すように用紙態様はパターン５の「Ａ面」、「ａ方向」であるが、「横倒し／正立変換」欄の「５」から「４」への変換により、パターン番号が「４」になって、画像形成面「Ａ」、用紙方向「ｂ」、用紙姿勢「横」を対応付けた情報がパターン情報として書き込まれる。
上記では片面コピーモードの場合を説明したが、両面コピーモードの場合には、第１面（１面目）と第２面（２面目）についてそのパターン情報が書き込まれる。
【００８１】
例えば、綴じ代の位置が上側、１面目がパターン１の場合には、２面目の画像形成の際の態様は用紙反転によりパターン３になるので、１面目：画像形成面「Ａ」、用紙方向「ａ」、用紙姿勢「横」、２面目：画像形成面「Ｂ」、用紙方向「ｂ」、用紙姿勢「横」、綴じ位置「上」を対応付けた情報がパターン情報として書き込まれる。ここで、綴じ代とは、用紙のいずれかの辺の部分を綴じて製本する場合にその綴じる部分に設けられる余白のことであり、綴じ位置とは、その余白の位置を示している。
【００８２】
例えば、上側を綴じ位置とすると、２面目についてはその画像の天が上側になるように画像形成なされる。また、左側を綴じ位置とすると、２面目についてはその画像の天が下側になるように回転等の画像処理が施されて画像形成される。この綴じ位置は、ユーザにより操作パネル１１１を介して指定される場合や固定的に上側等が設定される等とすることができる。
【００８３】
なお、綴じ位置については、用紙の１面目と２面目の態様（パターン番号）が判れば自動的に決まるものなので、これをパターン情報に含ませないとしても良い。例えば、横姿勢で綴じ位置が「上」側の場合には、１面目と２面目のパターン番号の組み合わせは、パターン１と３、パターン３と１、パターン２と４、パターン４と２になるので、横姿勢であってこれらのいずれかの組み合わせであれば、綴じ位置が「上」側を表していることになる。同様に、例えば「左」側の場合には、その組み合わせは、パターン１と２、パターン２と１、パターン３と４、パターン４と３になる。
【００８４】
図１０に戻って、判定情報格納部１０７は、不揮発性メモリからなり、片面原稿についてそのセット時の向き等の状態の正誤判定、誤っていると判定された場合にどのような補正処理が必要なのかを示す判定情報（片面）が書き込まれており、原稿読み取りの際に参照される。
図１３は、判定情報格納部１０７に格納されている判定情報をテーブル形式で示した図である。
【００８５】
同図に示すように、判定情報テーブル１０７０には、読み取り内容欄、パターン番号欄、原稿給送姿勢欄、ＩＣタグ検出位置欄、原稿読み取り態様判定結果欄、原稿反転要否欄、画像回転処理欄および画像形成用紙姿勢欄が設けられている。
読み取り内容欄には、原稿のＩＣタグ８から読み取られる、当該原稿が過去の画像形成用のシートとして用いられたときのパターン情報の内容として、画像面、用紙方向、用紙姿勢の内容を示す項目が設けられている。
【００８６】
同図では、パターン１、３に対応するもののみが記載されており、他のパターン２、４〜８に対応する項目についてはその内容を省略している。実際には、画像形成の際の１つのパターンに対し原稿読み取りの際のパターンが８つあり、画像形成の際のパターンが８つあるので、合計６４通りの情報が存在することになる。
パターン番号欄には、読み取り内容に対応するパターン番号が書き込まれている。
【００８７】
原稿給送姿勢欄には、原稿の姿勢として「横」と「縦」の項目が設けられている。
ＩＣタグ検出位置欄には、原稿上でのＩＣタグ８の位置として「装置の手前、奥」と「原稿の先端、後端」の項目が設けられている。また、原稿読み取り態様判定結果欄には、原稿読み取り面（Ａ／Ｂ）、方向（ａ／ｂ）、パターン番号１〜８の各項目が設けられている。
【００８８】
ここで、原稿読み取り面とは、セットされている原稿を図１の矢印Ｂ方向から見て、その原稿搬送方向と反対側を「上方向」、原稿搬送方向を「下方向」、装置手前側を「右方向」、装置奥側を「左方向」と規定したとき、当該原稿のＩＣタグ８の位置が「左上」に来る態様とした場合に表側となる面がＡ面、裏側となる面がＢ面と定義される。
また、原稿先端とは、図２に示す原稿のセット状態において、原稿の原稿搬送方向下流側の端部（下端）に相当し、原稿後端とは、上流側の端部（上端）に相当する。なお、スキャナ３３による読み取りは、片面読み取りモードにおいて原稿がプラテンガラス３１上の原稿読取基準位置に搬送された状態で、原稿上端（後端）側から下端（先端）側にかけて行われることになる。
【００８９】
方向とは、スキャナ３３による読み取り開始位置α（図１）側にＩＣタグ８が位置する状態で原稿が給送される場合の当該原稿の方向が「ａ方向」、読み取り終了位置β（図１）側にＩＣタグ８が位置する状態で原稿が給送される場合の当該原稿の方向が「ｂ方向」と定義される。
図２に示す原稿を例にとると、横姿勢、ＩＣタグ８の位置が「装置奥／用紙後端側」なので、原稿読み取り面がＡ面、方向がａ方向になってパターン番号が「１」になる。
【００９０】
パターン番号１〜８は、原稿の態様を表すものであり、読取面、方向、パターン番号は、ここでは原稿が正しくセットされた場合に、その原稿の態様を示すパターン番号が画像形成の際の態様（パターン番号）と一致するように予め決められている。
例えば、パターン１の態様で画像形成がなされた用紙を原稿として自動原稿搬送装置１０にセットする場合に、当該原稿が図２に示すパターン１の態様（原稿が横姿勢で、ＩＣタグ８が装置奥／後端側に位置した状態）でセットされると、Ａ面が原稿読み取り面になると共に原稿の上端から下端にかけて読み取りが行われ、画像が天から地に向かって正しい状態で読み取られることになる。原稿のセットを誤ると、原稿の態様はパターン２〜８のいずれかになり、パターン１と一致していないことが判り、この場合には後述のように反転等の補正処理が施される。
【００９１】
原稿反転要否、画像回転処理および画像形成用紙姿勢の各欄は、原稿セットの誤りが判定された場合に、どのような補正処理が必要であるかを示す情報が書き込まれている。
具体的には、原稿反転要否は、原稿の反転が必要か否かを示すものである。
例えば、画像形成の際の態様がパターン１であって、その用紙を原稿としてセットする場合には、図２に示すように横姿勢、画像面（Ａ面）が「表」側かつ天が上側を向くようにセットすべきところ、誤って当該原稿が横姿勢、画像面が「裏」側かつ天が上側を向くようにセットされると（パターン２に相当）、反転が必要とされる（欄１０７１参照）。
【００９２】
これは、原稿を反転させずにプラテンガラス３１上の原稿読取基準位置に送ると原稿のＢ面（裏面）が読み取られてしまうため、原稿を反転ローラ２１により反転させてプラテンガラス３１上の読み取り開始位置に送ることで、Ａ面を読み取ることが可能になるからである。
画像回転処理は、画像の回転の要否および回転が必要な場合のその回転角を示すものである。例えば、上記のように誤って原稿がパターン２の態様でセットされた場合には、１８０°の回転が必要とされる（欄１０７１）。これは、原稿の反転が行われると、その読み取りが原稿下端から上端にかけて行われ、正規の原稿上端から下端にかけて行われる場合と逆になり、これを正規の場合と同様に処理するために補正しておく必要があるからである。
【００９３】
また、例えば当該原稿が誤って縦姿勢、画像面が裏側かつ天が装置前側を向くようにセットされると（パターン７に相当）、原稿の反転および画像の９０°左回転が必要とされる（欄１０７２参照）。ここで、左回転とは、原稿の画像面（ここではＡ面）側から画像を見たとき反時計方向の回転を意味する。また、右回転とは、同条件において時計方向の回転を意味している。
【００９４】
画像形成用紙姿勢は、当該原稿のコピー（複写）に際し用いるべき用紙の姿勢を示している。例えば、上記のように原稿が誤ってパターン７の態様で縦方向にセットされた場合には、本来であれば横姿勢の用紙が用いられるべきであるから、必要な用紙は横姿勢とされる。もちろん、原稿の態様がパターン１の場合には、原稿の反転不要、画像の回転不要、用紙が横姿勢とされる（欄１０７３）。
【００９５】
他のパターンも同様に、画像形成の際の用紙の態様（パターン番号）毎に原稿の態様（パターン番号）、原稿反転および画像回転の要否、用紙姿勢が予め決められて、判定情報（片面）として判定情報格納部１０７に格納される。
図１０に戻って、判定情報格納部１０８は、不揮発性メモリからなり、両面原稿のセット時の向き等の状態の正誤判定、誤っていると判定された場合にどのような補正処理が必要なのかを示す判定情報（両面）が書き込まれており、原稿読み取りの際に参照される。
【００９６】
図１４は、判定情報格納部１０８に格納されている判定情報をテーブル形式で示した図である。同図に示すように、判定情報テーブル１０８０には、読み取り内容欄、パターン番号欄、原稿給送姿勢欄、ＩＣタグ検出位置欄、原稿読み取り態様判定結果欄、原稿反転前欄、原稿反転後欄、１面目／２面目入れ替え要否欄および画像形成用紙姿勢欄が設けられている。
【００９７】
読み取り内容欄には、原稿のＩＣタグ８から読み取られる、当該原稿が過去の画像形成用のシートとして用いられたときのパターン情報の内容として、画像面、用紙方向等の内容を示す項目が設けられており、パターン番号欄には、１面目と２面目についてのパターン番号が書き込まれている。同図では、綴じ位置が上側、画像形成の際の１面目のパターンがパターン１であり、２面目のパターンがパターン３に対応するもののみが記載されており、他の組み合わせのものについてはその内容を省略している。実際には、綴じ位置が上側と左側の場合にそれぞれ４つずつの組み合わせを持つので、合計６４通りの情報が存在することになる。
【００９８】
原稿給送姿勢欄〜原稿読み取り態様判定結果欄の内容については、上記判定情報テーブル１０７０の内容と同じである。
原稿反転前、原稿反転後、１面目／２面目入れ替え要否および画像形成用紙姿勢の各欄は、両面原稿のセットの誤りが判定された場合に、どのような補正処理が必要であるかを示す情報が書き込まれている。
【００９９】
原稿反転前欄には、読み取り面欄と画像回転処理欄が設けられている。
読み取り面とは、両面原稿として最初に読み取られる面が当該両面原稿の１面目になるのか２面目になるのかを示しており、画像回転処理は、画像の回転の要否および回転が必要な場合のその回転角を示すものである。
具体的には、１面目の画像形成の際の態様がパターン１であった場合、その用紙が両面原稿として原稿給紙トレイ１１上に横姿勢、１面目が「表」側かつ天が上側を向くように正確にセットされると（原稿読み取りの際の態様がパターン１に相当）、最初に読み取られる面が１面目、画像回転が不要であることが示されている（欄１０８１参照）。
【０１００】
これに対し、当該両面原稿が誤って、例えば横姿勢、１面目が「裏」側かつ天が上側を向くようにセットされると（パターン２の場合）、最初に読み取られる面が２面目になり、画像回転、ここでは１８０°が必要とされる（欄１０８２参照）。この１８０°回転は、パターン２の場合、２面目の読み取りが原稿下端から上端にかけて行われるので、上端から下端にかけて読み取られる正規の場合と逆になり、これを正規の場合と同様に処理するために補正しておく必要があるからである。
【０１０１】
原稿反転後欄には、読み取り面欄と画像回転処理欄が設けられている。ここでの読み取り面とは、両面原稿が反転された後にプラテンガラス３１上の原稿読取基準位置まで搬送されたときの読み取り面を示している。
例えば、原稿読み取りの際の態様がパターン２の場合（欄１０８２）、原稿反転後の読み取り面は、１面目になり、１８０°の画像回転が必要とされることが示されている。原稿反転後には、上記反転前の２面目の場合と同様に、１面目の読み取りが原稿下端から上端にかけて行われることになるからである。
【０１０２】
１面目／２面目入れ替え要否欄には、ユーザの原稿セット時の誤りで、本来の正規の状態に対し原稿が表裏逆になっているため、両面原稿の１面目と２面目の読み取り順が１面目、２面目の順にならなかった場合に、画像処理の時点でその順を入れ替える処理が必要であることが示されている。例えば、原稿読み取りの際の態様がパターン２の場合（欄１０８２）には必要とされ、パターン１の場合（欄１０８１）には不要とされる。
【０１０３】
画像形成用紙姿勢については、上記判定情報テーブル１０７０と同様の内容が書き込まれている。
他の省略されているパターンも同様に、画像形成の際のパターン番号毎に原稿のパターン番号、原稿反転前および反転後、１面目／２面目の入れ替えの要否、用紙姿勢が予め決められて、判定情報（両面）として判定情報格納部１０８に格納される。
【０１０４】
次に、制御部１００により実行されるパターン情報書き込み処理および複写処理の内容を図１５〜図１８を用いて説明する。
図１５は、パターン情報書き込み処理の内容を示すフローチャートである。このパターン情報書き込み処理は、片面コピーモード等の画像形成のジョブ実行時に行われる。
同図に示すように、制御部１００は、用紙サイズ検出センサ７１１による検出信号を受信して給紙カセット７１にセットされている用紙のサイズおよびその姿勢（縦／横）を検出する（ステップＳ１１）。
【０１０５】
用紙が給紙カセット７１から繰り出されると、ＩＣタグライター９１、９２から、当該用紙に埋め込まれているＩＣタグ８との無線通信の可否結果を示す信号を受信し、ＩＣタグ８の検出を行う（ステップＳ１２）。
受信信号からＩＣタグライター９１、９２のいずれか一方においてＩＣタグ８が検出されたことを判断すると（ステップＳ１３で「ＹＥＳ」）、当該ＩＣタグ８の用紙上の位置を検出する。これは、当該ＩＣタグ８を検出したＩＣタグライターが装置手前側と奥側のいずれであり、用紙給送開始時から当該ＩＣタグ８との通信可能時までの経過時間が所定時間以内に入っているか否かを判断することにより行われる。
【０１０６】
判定情報テーブル１０６０を参照し、検出されたＩＣタグの位置（装置手前／奥、用紙先端／後端）と当該用紙の姿勢（縦／横）に対応する用紙の態様がパターン１〜８のどれに当たるのかを判定する（ステップＳ１４）。例えば、画像の形成方向：正立、用紙姿勢：横、ＩＣタグ検出位置（装置奥、用紙先端）の場合には、パターン１と判定される。この意味で、制御部１００、ＩＣタグライター９１、９２等は、ステップＳ１２〜Ｓ１４の処理を実行する場合に、シート上のＩＣタグの装着位置を検出する検出手段として機能するものといえる。
【０１０７】
そして、当該用紙に対し形成画像の横倒しが行われる場合には（ステップＳ１５で「ＹＥＳ」）、判定情報テーブル１０６０を参照し、ステップＳ１４で判定されたパターン番号を横倒し／正立変換に従って変換し（ステップＳ１６）、ステップＳ１７に移る。
横倒しが行われない場合には（ステップＳ１５で「ＮＯ」）、そのままステップＳ１７に移る。
【０１０８】
ステップＳ１７では、両面コピーモードか否かを判断する。ここで、両面ではなく、片面コピーモードであることを判断すると（ステップＳ１７で「ＮＯ」）、判定されたパターン番号に対応する画像形成面や用紙姿勢等を含むパターン情報を、ＩＣタグ８を検出したＩＣタグライター９１または９２に指示して当該ＩＣタグ８に無線通信により書き込ませる（ステップＳ１８）。この意味で、制御部１００、ＩＣタグライター９１、９２等は、ステップＳ１８の処理を実行する場合に、ＩＣタグの装着位置に関する情報をＩＣタグに書き込む書込手段として機能するものである。
【０１０９】
一方、両面コピーモードであることを判断すると（ステップＳ１７で「ＹＥＳ」）、２面目についての画像形成面、用紙方向等を、１面目として判定されたパターン番号と綴じ位置（上／左）とから判定して、１面目と２面目についての画像形成面、用紙方向、用紙姿勢および綴じ位置の情報をパターン情報として当該ＩＣタグ８に書き込ませる（ステップＳ２０）。このパターン情報の書き込みタイミングとしては、１面目の画像形成の際であっても良いし、２面目の画像形成の際であっても良い。
【０１１０】
ステップＳ１９では、当該用紙が当該ジョブにおいて最終の用紙であるか否かを判断する。ここで、最終ではない、すなわち次に画像形成すべき用紙が存在することを判断すると（ステップＳ１９で「ＮＯ」）、ステップＳ１３に戻り、上記ステップＳ１３〜Ｓ２０の処理を繰り返し実行する。一方、最終であることを判断すると（ステップＳ１９で「ＹＥＳ」）、当該処理を終了する。
【０１１１】
ステップＳ１３において、ＩＣタグを検出できなかったことを判断すると（ステップＳ１３で「ＮＯ」）、ＩＣタグ８が装着された用紙ではないことになるので、用紙態様の判定およびパターン情報の書き込み処理の中止を決定する（ステップＳ２１）。
そして、当該用紙が最終の用紙であるか否かを判断し、最終でないことを判断すると（ステップＳ２２で「ＮＯ」）、ステップＳ１３に戻り、最終であることを判断すると（ステップＳ２２で「ＹＥＳ」）、当該処理を終了する。
【０１１２】
これにより、ＩＣタグが装着された用紙が画像形成のジョブに用いられた場合には、当該用紙のＩＣタグ８に、画像形成の際の用紙の態様を示すパターン情報が書き込まれることになる。
図１６は、複写処理の内容を示すフローチャートである。ここでは、片面原稿については片面コピーモードで、両面原稿については両面コピーモードにより画像が形成される場合の処理内容になっている。
【０１１３】
同図に示すように、原稿態様判定処理を実行する（ステップＳ３１）。
図１７は、原稿態様判定処理のサブルーチンの内容を示すフローチャートである。
まず、原稿サイズ検出センサ２７、２８からの検出信号を受信して、セットされている原稿のサイズおよびその姿勢（縦／横）を検出する（ステップＳ３１１）。
そして、原稿が給紙されると、ＩＣタグリーダー２５、２６から、当該原稿に埋め込まれているＩＣタグ８との無線通信の結果を示す信号を受信し、ＩＣタグ８の検出を行う（ステップＳ３１２）。
【０１１４】
受信信号からＩＣタグリーダー２５、２６のいずれか一方においてＩＣタグ８が検出されたことを判断すると（ステップＳ３１３で「ＹＥＳ」）、当該ＩＣタグ８を検出したＩＣタグリーダー２５または２６に指示して、当該ＩＣタグ８に格納されている情報を無線通信により読み取らせる（ステップＳ３１６）。この意味で、制御部１００、ＩＣタグリーダー２５、２６等は、ステップＳ３１６の処理を実行する場合に、ＩＣタグの装着位置に関する情報をＩＣタグから読み出す読出手段として機能するものである。
【０１１５】
読み取った情報に、当該原稿が過去に画像形成用のシートとして用いられたときに書き込まれたパターン情報が含まれるか否かを判断する（ステップＳ３１７）。
ここで、パターン情報が含まれていることを判断すると（ステップＳ３１７で「ＹＥＳ」）、ステップＳ３２０の決定処理を実行する。
図１８は、決定処理のサブルーチンの内容を示すフローチャートである。
【０１１６】
同図に示すように、まず原稿が両面原稿か否かを判断する（ステップＳ３２１）。この判断は、操作パネル１１１において、原稿の読み取りモードとして、片面と両面のいずれが設定されているのかにより行われる。具体的には、片面読み取りモードが設定されていれば片面原稿、両面読み取りモードが設定されていれば両面原稿と判断する。
両面原稿ではない、すなわち片面原稿であることを判断すると（ステップＳ３２１で「ＮＯ」）、当該ＩＣタグ８の原稿上の位置を検出する。
【０１１７】
この検出は、用紙上のＩＣタグ８の位置検出の方法と同様の方法で行われる。具体的には、当該ＩＣタグ８を検出したＩＣタグリーダーが装置手前側と奥側のいずれであり、原稿給送開始時から当該ＩＣタグ８との通信可能時までの経過時間が所定時間以内に入っているか否かを判断することにより行われる。例えば、ＩＣタグ８が、ＩＣタグリーダー２６により、通信可能時が上記所定時間を越えている場合には、ＩＣタグ８の位置が装置奥側／原稿後端側と検出される（図２の状態）。
【０１１８】
そして、判定情報テーブル１０７０を参照し、検出されたＩＣタグの位置（装置手前／奥、原稿先端／後端）と当該原稿の姿勢（縦／横）に対応する原稿の態様がパターン１〜８のどれに当たるのかを判定する（ステップＳ３２２）。例えば、原稿姿勢：横、ＩＣタグ検出位置（装置奥、原稿後端）の場合には、パターン１と判定される。この意味で、制御部１００、ＩＣタグリーダー２５、２６等は、ステップＳ３１２、Ｓ３２２等の処理を実行する場合に、原稿上のＩＣタグの装着位置を検出する検出手段として機能するものである。
【０１１９】
その判定結果と上記ステップ３１６で読み出したパターン情報とから原稿反転が必要か否かを判断する（ステップＳ３２３）。例えば、読み取りの際の態様がパターン１、画像形成の際の態様がパターン１の場合には、判定情報テーブル１０７０の原稿反転要否欄より不要と判断する（図１３の欄１０７３）。一方、読み取りの際の態様がパターン２であった場合には、欄１０７１に示すように必要と判断される。
【０１２０】
原稿反転が不要と判断すると（ステップＳ３２３で「ＮＯ」）、当該原稿に対する複写用の用紙として使用されるべき用紙の姿勢、画像回転処理内容を決定する（ステップＳ３２４）。用紙姿勢は、判定情報テーブル１０７０の画像形成用紙姿勢欄の情報が参照され、画像回転処理内容は、画像回転処理欄の情報が参照される。例えば、画像形成と原稿搬送の際の態様が共にパターン１である場合には、用紙姿勢：横、画像回転不要とされる。
【０１２１】
用紙姿勢、画像回転処理内容を決定すると、決定した情報を一時記憶しておくと共に処理結果を示すフラグ（処理結果フラグ）を「２」に設定し（ステップＳ３２５）、原稿態様判定処理のサブルーチンにリターンする。
一方、原稿反転が必要と判断すると（ステップＳ３２３で「ＹＥＳ」）、当該原稿に対する複写用の用紙として使用されるべき用紙の姿勢、画像回転処理内容を決定する（ステップＳ３２６）。この用紙姿勢および画像回転処理内容の決定方法は、上記ステップＳ３２４の処理と同様である。
【０１２２】
用紙姿勢、画像回転処理内容を決定すると、決定した情報を一時記憶しておくと共に処理結果フラグを「３」に設定し（ステップＳ３２７）、原稿態様判定処理のサブルーチンにリターンする。
ステップＳ３２１において、原稿が両面原稿であることを判断すると、ステップＳ３２８に移る。
【０１２３】
ステップＳ３２８では、上記ステップＳ３２２の処理と同様に、判定情報テーブル１０８０を参照し、当該原稿の姿勢とＩＣタグ検出位置に対応する原稿の態様がパターン１〜８のどれに当たるのかを判定する。
そして、最初に読み取られる面が１面目か２面目かを判定し（ステップＳ３２９）、その判定結果から、当該原稿に対し使用されるべき用紙の姿勢、画像回転処理内容を決定する（ステップＳ３３０）。ここでは、判定情報テーブル１０８０の原稿反転前欄と原稿反転後欄を参照し、判定された原稿のパターン番号に対応する情報を読み出す。
【０１２４】
例えば、図１４の欄１０８２に示すように画像形成の際の用紙１面目がパターン１であり、２面目がパターン３であり、原稿がパターン２であった場合、原稿反転前欄の情報から最初に読み取られる面が２面目と判り、そのときに画像回転が１８０°必要、原稿反転後欄の情報から１面目に対しても画像回転が１８０°必要であり、用紙姿勢欄の情報から横姿勢であることが判る。
【０１２５】
次に、画像形成の際に１面目と２面目を入れ替える処理が必要であるか否かを判断する（ステップＳ３３１）。この判断は、判定情報テーブル１０８０の１面目／２面目入れ替え要否欄を参照し、判定された原稿のパターン番号に対応する情報を読み出すことにより行われる。上記の欄１０８２の例では、入れ替えが必要とされる。
入れ替えが必要であることを判断すると（ステップＳ３３１で「ＹＥＳ」）、上記決定した用紙姿勢、画像回転処理内容および入れ替え必要の情報を一時記憶しておくと共に処理結果フラグを「４」に設定し（ステップＳ３３３）、原稿態様判定処理のサブルーチンにリターンする。
【０１２６】
また、入れ替えが不要であることを判断すると（ステップＳ３３１で「ＮＯ」）、上記決定した用紙姿勢、画像回転処理内容および入れ替え不要の情報を一時記憶しておくと共に処理結果フラグを「４」に設定し（ステップＳ３３２）、原稿態様判定処理のサブルーチンにリターンする。
図１７に戻って、ステップＳ３１７において、パターン情報が含まれていないことを判断すると、ステップＳ３１８に移り、原稿態様の判定処理の中止を決定し、ステップＳ３１５に移って、処理結果フラグを「１」に設定し、原稿態様判定処理のサブルーチンにリターンする。
【０１２７】
また、ステップＳ３１３において、ＩＣタグを検出できなかったことを判断すると（ステップＳ３１３で「ＮＯ」）、ＩＣタグ８が装着された原稿（用紙）ではないことになるので、原稿態様の判定処理の中止を決定し、ステップＳ３１５に移る。
図１６に戻って、ステップＳ３２では、上記処理結果フラグが「２」に設定されているか否かを判断する。
【０１２８】
ここで、処理結果フラグが「２」に設定されていることを判断すると（ステップＳ３２で「ＹＥＳ」）、片面原稿の読み取りを行った後（ステップＳ３３）、上記一時記憶されている用紙姿勢と画像回転処理内容を読み出して、画像回転が必要な場合には回転角に応じた回転処理を画像データに施し（ステップＳ３４）、用紙姿勢として判定された姿勢および検出された原稿サイズに対応する用紙を給紙カセット７１から繰り出して画像形成を実行して（ステップＳ３５）、当該複写処理を終了する。この意味で、制御部１００は、上記ステップＳ３２２、Ｓ３３０、Ｓ３４等の処理を実行する場合に、画像データの回転の要否、必要な場合に回転処理を施す画像処理手段として機能するものである。
【０１２９】
一方、処理結果フラグが「３」に設定されていることを判断すると（ステップＳ３２で「ＮＯ」、Ｓ３６で「ＹＥＳ」）、片面原稿を反転させた後（ステップＳ３７）、その片面原稿を読み取り（ステップＳ３８）、上記一時記憶されている用紙姿勢と画像回転処理内容を読み出し、必要に応じて画像データに回転処理を施した後（ステップＳ３９）、判定された用紙姿勢に対応する用紙を給紙カセット７１から給送させて画像形成を実行し（ステップＳ４０）、当該複写処理を終了する。
【０１３０】
また、処理結果フラグが「４」に設定されていることを判断すると（ステップＳ３６で「ＮＯ」、Ｓ４１で「ＹＥＳ」）、セットされている両面原稿の表側の面を読み取り（ステップＳ４２）、読み取りが終わると、当該両面原稿を反転させて（ステップＳ４３）、裏側の面を読み取る（ステップＳ４５）。
そして、上記一時記憶されている用紙姿勢と画像回転処理内容を読み出し、原稿の１面目と２面目の画像データに対し必要に応じて回転処理を施した後（ステップＳ４６）、判定された用紙姿勢に対応する用紙を給紙カセット７１から給送させて用紙の両面に順次画像形成を実行し（ステップＳ４７）、当該複写処理を終了する。
【０１３１】
さらに、処理結果フラグが「５」に設定されていることを判断すると（ステップＳ４１で「ＮＯ」、Ｓ４８で「ＹＥＳ」）、両面原稿の表側の面を読み取り（ステップＳ４９）、読み取りが終わると、当該両面原稿を反転させて（ステップＳ５０）、裏側の面を読み取る（ステップＳ５１）。
そして、上記一時記憶されている用紙姿勢と画像回転処理内容を読み出し、原稿の１面目と２面目の画像データに対し必要に応じて回転処理を施した後（ステップＳ５２）、１枚の用紙に対する１面目と２面目の画像データの画像形成順序を入れ替える処理を実行する（ステップＳ５３）。具体的には、原稿読み取りの際に最初に読み取られた面を２面目として扱い、反転後に読み取られた面を１面目として扱うものである。
【０１３２】
画像回転、入れ替え処理の終了後、判定された用紙姿勢に対応する用紙を給紙カセット７１から給送させて用紙の両面に順次画像形成を実行し（ステップＳ５４）、当該複写処理を終了する。
これにより、仮に原稿のセット時にその表裏や向きに誤りがあっても、正しくセットされたときと同じ状態で画像形成がなされるように必要に応じて原稿反転や画像回転処理が自動的に施されるので、出力物としてはミスコピーにならず用紙が無駄になることがない。また、ユーザにとっては原稿セットに必要以上に気を使う必要がなくなり負担が軽減される。
【０１３３】
また、処理結果フラグが「１」に設定されていることを判断すると（ステップＳ４８で「ＮＯ」）、上記画像回転、入れ替え等の処理を行うことなく、原稿の読み取りを行い（ステップＳ５５）、読み取って得られた画像データに基づいて用紙に画像を形成して（ステップＳ５６）、当該複写処理を終了する。この場合、セットされた原稿の表裏等に誤りがあると、従来のようにその誤りのまま複写が実行されることになる。なお、図１６の複写処理では、原稿態様判定、原稿読み取り、画像回転、画像形成の各処理がその順で実行されるが、原稿が多数枚セットされている場合には、１枚目の原稿に対する画像形成が終了する前に、２枚目の原稿の態様判定と読み取りが開始されるようになっており、１枚目の原稿に対する画像形成と２枚目の原稿の読み取りを並行して行うことで複写速度の向上が図られている。
【０１３４】
以上説明したように、本実施の形態では、（ａ）画像形成の際に、用紙に装着されたＩＣタグに、その用紙の態様（姿勢：縦／横、用紙上のＩＣタグの位置：装置手前／奥側、用紙先端／後端）を書き込み、（ｂ）当該用紙が原稿として読み取られる際に、当該ＩＣタグに書き込まれている当該用紙の態様を当該ＩＣタグから読み出すと共に、原稿読み取りの際の態様（姿勢：縦／横、原稿上のＩＣタグの位置：装置手前／奥側、原稿先端／後端）を検出して、（ｃ）読み出した用紙の態様と検出した原稿の態様の一致、不一致の結果から当該原稿のセットの仕方に誤りがあるか否かを検出し、（ｄ）誤りがあることが検出されると、正しくセットされた場合と同じ状態で画像形成がなされるように原稿の反転、画像回転、１面目と２面目の入れ替え等の処理が自動的に施されるので、ユーザにとっては原稿のセットが容易になり、ミスコピーも少なくなってコスト的にも有利になる。
【０１３５】
なお、本発明は、画像形成装置や自動原稿搬送装置等に限られず、画像形成装置および自動原稿搬送装置等を含む画像処理システム、画像形成の際に用紙上のＩＣタグの位置を検出する処理および検出した位置に関する情報をＩＣタグに書き込む処理の方法、原稿読み取りの際に原稿上のＩＣタグの位置を検出する処理およびＩＣタグに書き込まれている情報を読み出す処理の方法であるとしてもよい。さらに、その方法をコンピュータが実行するプログラムであるとしてもよい。また、本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【０１３６】
また、本発明に係るプログラムは、上記に説明した処理をコンピュータに実行させるための全てのモジュールを含んでいる必要はなく、例えば通信プログラムやオペレーティングシステム（ＯＳ）に含まれるプログラムなど、別途情報処理装置にインストールすることができる各種汎用的なプログラムを利用して、本発明の各処理をコンピュータに実行させるようにしても良い。従って、上記した本発明の記録媒体に必ずしも上記全てのモジュールを記録している必要はないし、また必ずしも全てのモジュールを伝送する必要もない。さらに所定の処理を専用ハードウェアを利用して実行させるようにすることができる場合もある。
【０１３７】
（変形例）
以上、本発明を実施の形態に基づいて説明してきたが、本発明は、上述の実施の形態に限定されないのは勿論であり、以下のような変形例が考えられる。
（１）上記実施の形態では、ＩＣタグライター９１、９２を用紙搬送方向に同位置になるように配置したが、用紙上のＩＣタグ８をいずれか一方のＩＣタグライターだけで検出できれば良く、例えば図１９（ａ）に示すように用紙搬送方向にずれた位置に配する構成としても良い。この構成とする場合、双方のＩＣタグライターでＩＣタグの検出タイミングが異なるので、用紙搬送方向に位置がずれた分だけ、その検出タイミングをずらすことが行われる。
【０１３８】
また、上記では、ＩＣタグライター９１、９２がＩＣタグ８の検出とＩＣタグ８への情報の書き込みの２つの機能を兼ねるとしたが、当該検出と書き込みを別々に行うとしても良い。
図１９（ｂ）は、ＣＤ方向全域に対しＩＣタグ８の検出と情報の書き込みの機能を有するＩＣタグライター９３と、ＩＣタグ８の検出のための検出部（書き込みの機能を有せず通信機能だけを有するもの）９４を配置した場合の例を示す図である。
【０１３９】
同図のＩＣタグライター９３は、ＩＣタグ８が用紙上の装置手前側と奥側のいずれに位置する場合でも、ＩＣタグ８と無線通信を行えると共にパターン情報を書き込めるようにその通信可能範囲が設定されているものである。
一方で、検出部９４は、搬送路の装置手前または奥側の１箇所に配置され、その配置された側をＩＣタグ８が通過するときにだけ通信を行えるように通信可能範囲が設定されており、ＩＣタグ８の用紙上のＣＤ方向の位置を検出することができる。
【０１４０】
これより、用紙上においてＩＣタグ８が装置手前側と奥側のいずれに位置しているのかについては検出部９４で検出でき、用紙先端側と後端側のいずれであるかについては、ＩＣタグライター９３により検出でき、もって用紙上の位置を特定することができる。ＩＣタグリーダー２５、２６についても同様とすることができる。
（２）上記実施の形態では、パターン情報を用紙姿勢とＩＣタグの用紙上における位置の情報としたが、例えばページ番号を含むとすることができる。このようにすれば、ユーザが原稿のページ順を１、３、２、４・・等のように誤って並べたものを原稿束としてセットしても、読み出したページ番号から画像形成の順序をページ順に合うように変えることでページ順が揃った出力物を得ることができる。
【０１４１】
また、両面原稿と片面原稿が混在する原稿束、具体的には１枚目：両面原稿（１ページ／２ページ）、２枚目：片面原稿（３ページ）、３枚目：両面原稿（４ページ／５ページ）を両面コピーする場合には、１枚目の用紙の両面に１ページ／２ページの原稿画像、２枚目の用紙の両面に３ページ／４ページの原稿画像、３枚目の用紙の片面に５ページの原稿画像（裏面は白）を複写するという出力形態とすることも可能である。
【０１４２】
（３）また、例えば用紙の一方の面への画像形成を禁止したい場合、具体的には一方の面が複写済のため他方の面にだけ画像形成を行う場合に、その複写済みの面（給紙カセット７１にセットされた状態で裏側に当たる面）を禁止面として扱い、その情報をパターン情報に含める。そして、その用紙が原稿として用いられる場合に、原稿の誤セットにより当該禁止面に相当する面が読み取られると、読み取り禁止面が読み取られたとしてその旨をユーザにメッセージ表示や音声により通知して複写を停止し、複写をそのまま行うか、または禁止面の画像データを無効として破棄することのユーザからの選択を受付け、選択された方の処理を実行する構成をとるとしても良い。また、ユーザへの通知を行うだけや、通知をせずに自動的にその画像データを破棄することもできる。
【０１４３】
さらに、禁止面に相当する面が読み取られようとしている原稿をプラテンガラス３１上に停止させずにスルーさせて、その面の読み取り（スキャン動作）を行わない構成とすることもできる。この場合、例えばスルーした後、その原稿を反転させてプラテンガラス３１に移送して禁止面に当たる面の裏側の面（本来の読み取るべき面）を読み取ることが可能である。
【０１４４】
禁止面の設定方法としては、例えばユーザによる操作パネル１１１からの禁止面の設定を受け付ける等の方法が考えられる。禁止面の設定がなされると、給紙カセット７１内の用紙についてその裏側の面が禁止面（表側の面が許可されべき面）となって、画像形成面の裏側の面が禁止面、例えば画像形成面がＡ面であれば、Ｂ面が禁止面になることを示す情報がＩＣタグ８に書き込まれることになる。
【０１４５】
なお、この設定は、例えば用紙１枚ずつ行っても良いし、また禁止面を有する用紙だけが収容される給紙カセットの指定が可能な場合には、その指定された給紙カセット（給紙口）毎に行い、指定された給紙口から繰り出される用紙全てに適用するとしても良い。
（４）上記実施の形態では、２つのＩＣタグライター９１、９２を用紙搬送路９０付近に配し、搬送される用紙上のＩＣタグの検出、ＩＣタグへのパターン情報の書き込みを行うとしたが、画像形成の際に当該検出と書き込みが可能であれば、上記の構成に限られることはない。
【０１４６】
例えば、給紙カセット７１や排出トレイ７８の内部やその付近に配する構成としても良い。また、給紙カセット７１に収容されている用紙の４つの角に対応する位置それぞれにＩＣタグライターを１つずつ配し（合計４個）、各ＩＣタグライターの通信の可否により用紙上のＩＣタグの位置を検出すると共に通信できたＩＣタグライターを用いてパターン情報を当該ＩＣタグに書き込む構成も考えられる。この構成とする場合、検出や書き込みタイミングとしては、例えば給紙前または給紙時とすることができる。同様に、排出トレイ７８への排出後の用紙についてＩＣタグの検出等を行うとしても良い。これらの各場合も画像形成の際に含まれる。
【０１４７】
（５）自動原稿搬送装置１０において、２つのＩＣタグリーダー２５、２６を原稿給送部２９に配し、給送される原稿上のＩＣタグの検出、ＩＣタグからのパターン情報の読み出しを行うとしたが、原稿搬送の際に当該検出と読み出しが可能であれば、上記の構成に限られることはない。例えば、原稿給紙トレイ１１や原稿排紙トレイ１９に配する構成や、原稿搬送路、具体的には搬送ベルト１７の近辺やプラテンガラス３１の下方などに配する構成としても良い。これらの場合も原稿搬送の際に含まれる。
【０１４８】
（６）上記実施の形態では、自動原稿搬送装置１０とプリンタ４０が、原稿と用紙を横と縦の両方の姿勢で搬送可能な構成としたが、例えば、横または縦の一方の姿勢でしか搬送できない構成であれば、用紙（原稿）姿勢が固定されるため、ＩＣタグの用紙（原稿）上の位置（装置手前／奥側と先端／後端側）からパターン番号を決めるとしても良い。
（７）上記実施の形態では、画像形成面、用紙方向、用紙姿勢の情報をＩＣタグの装着位置に関する情報としてＩＣタグ８に書き込むとしたが、これに限られることはない。
【０１４９】
上記のように、画像形成面／用紙方向と、パターン番号（ＩＣタグの装着位置）とは、実質同義なので、例えばＩＣタグ８が位置する領域（装置奥側／用紙先端側等）を用紙姿勢の情報と合わせて書き込むとしても良い。また、領域でなくても、用紙上におけるＩＣタグ８の位置を座標位置で表し、その座標位置の情報を書き込むとすることもできる。具体的には、搬送される用紙のＣＤ方向をＸ軸、用紙搬送方向をＹ軸として、そのＸ−Ｙ座標系における座標位置（Ｘ、Ｙ）でＩＣタグ８の用紙上の位置を表すものである。
【０１５０】
この場合でも、ＩＣタグ８の座標位置がどの値をとればどのパターンに相当するのかを定義しておけば、その用紙を原稿として読み取る場合に、その原稿が正しくセットされているかを否か、誤ってセットされている場合に原稿反転の要否等を上記実施の形態と同様に判定することができる。要するに、画像形成（原稿搬送）の際に用紙（原稿）上におけるＩＣタグの装着位置に関する情報が書き込み（読み出し）される構成であれば、その情報から画像面や方向等を特定できることになる。
【０１５１】
なお、座標位置としては、例えばＸ軸方向についてはＩＣタグ８と通信可能になったＩＣタグライター９１または９２のＸ軸上の位置、Ｙ軸方向については用紙先端検出からＩＣタグ８との通信可能時までの経過時間に搬送速度を乗算した値をＹ軸上の位置とすることなどが考えられる。このことはＩＣタグリーダー２５、２６についても同様である。
（８）上記実施の形態では、原稿が誤ってセットされた場合に、原稿反転と画像回転を必要に応じて実行することにより、正しくセットされた場合と同等の複写物を得るとしたが、例えば原稿反転または画像回転の一方だけを実行する構成とすることもできる。具体例としては、片面原稿については表裏を逆にして誤セットするよりも前後（天地）を逆にして誤セットする場合の方が多いと考えられ、そうであれば自動原稿搬送装置に原稿反転機能がない場合でも適用することができる。この場合に、原稿の表裏が逆であることを検出すると、その旨をユーザにメッセージ表示等により出力して通知すると共に、搬送中の原稿を読み取り位置で停止させずにスルーして排出させるとすれば無駄な読み取りを行わなくても済む。また、原稿セット時に表裏の逆を検出できる構成の場合には、その際に警告、例えば「原稿の表裏が逆にセットされています。セットし直して下さい。」というようなメッセージ表示や音声等の出力を行うこともできる。
【０１５２】
（９）上記実施の形態では、画像形成装置を複写機に適用した場合の例を説明したが、ＩＣタグのシート上における位置の検出、当該ＩＣタグへの情報の書き込み処理を実行できるものであれば、カラーやモノクロ画像の形成に関わらず、例えばプリンタ、ＦＡＸ、ＭＦＰ（Multiple Function Peripheral）等の画像形成装置一般に適用できる。
また、自動原稿搬送装置としては、ＩＣタグの原稿上における位置の検出、当該ＩＣタグから情報の読み出し処理を実行できるものであれば、上記実施の形態の構成に限られない。なお、原稿を搬送させながら固定の読み取り位置で原稿画像を読み取る、いわゆるシートスルー方式の場合、通常、原稿の先端から後端側にかけて画像が読み取られるので、上記実施の形態のスキャナ移動方式による原稿後端から先端側にかけて読み取られる構成と逆になる。そのため、シートスルー方式の場合には、その方式に応じて判定情報テーブル１０７０、１０８０の原稿の先端／後端欄の情報およびパターン番号が変わることになる。すなわち、判定情報テーブル１０７０、１０８０の内容は、読み取り方式などの条件に応じて原稿が正しくセットされた場合を基準に、誤った場合の画像回転の要否等が予め設定されることになる。
【０１５３】
上記実施の形態及び上記変形例をそれぞれ組み合わせるとしてもよい。
【産業上の利用可能性】
【０１５４】
本発明は、ＩＣタグが装着されたシートに画像形成を行う画像形成装置およびＩＣタグが装着されたシートを原稿として搬送させる自動原稿搬送装置に広く適用することができる。
【図面の簡単な説明】
【０１５５】
【図１】複写機１の全体構成を示す図である。
【図２】図１の矢印Ｂ方向から原稿給送部２９を見たときの平面図である。
【図３】ＩＣタグライター９１、９２が配置されている様子を図１の矢印Ｃ方向から見たときの斜視図である。
【図４】用紙が横姿勢で搬送されるときの用紙の４つの態様と各態様のＩＣタグ８の位置関係を示した模式図である。
【図５】図４に示す４つの態様において画像形成面となる面に同じ正立画像を形成した場合の各態様を示す図である。
【図６】用紙が縦姿勢で搬送されるときの用紙の４つの態様と各態様のＩＣタグ８の位置関係を示した模式図である。
【図７】図６に示す４つの態様において画像形成面となる面に同じ正立画像を形成した場合の各態様を示す図である。
【図８】ＩＣタグライター９１、９２を図３の矢印Ｆ方向から見たときのＩＣタグ８との無線通信可能範囲を模式的に示す平面図である。
【図９】通信可能範囲の用紙搬送方向長さを説明するための図である。
【図１０】複写機１の制御部１００の構成を示したブロック図である。
【図１１】制御部１００内のパターン情報格納部１０６に格納されている対応情報テーブル１０６０の内容を示す図である。
【図１２】画像の横倒しが実行される場合の例を示す模式図である。
【図１３】制御部１００内の判定情報格納部１０７に格納されている判定情報テーブル１０７０の内容を示す図である。
【図１４】制御部１００内の判定情報格納部１０８に格納されている判定情報テーブル１０８０の内容を示す図である。
【図１５】パターン情報書き込み処理の内容を示すフローチャートである。
【図１６】複写処理の内容を示すフローチャートである。
【図１７】原稿態様判定処理のサブルーチンの内容を示すフローチャートである。
【図１８】決定処理のサブルーチンの内容を示すフローチャートである。
【図１９】ＩＣタグライター９１、９２の配置位置の変形例を示す図である。
【符号の説明】
【０１５６】
１      複写機
８      ＩＣタグ
１０      自動原稿搬送装置
２５、２６      ＩＣタグリーダー
３０      画像読取部
４０      プリンタ部
９１、９２、９３      ＩＣタグライター
１００      制御部
【図１】
2007015820.tif 000003
【図２】
2007015820.tif 000004
【図３】
2007015820.tif 000005
【図４】
2007015820.tif 000006
【図５】
2007015820.tif 000007
【図６】
2007015820.tif 000008
【図７】
2007015820.tif 000009
【図８】
2007015820.tif 000010
【図９】
2007015820.tif 000011
【図１０】
2007015820.tif 000012
【図１１】
2007015820.tif 000013
【図１２】
2007015820.tif 000014
【図１３】
2007015820.tif 000015
【図１４】
2007015820.tif 000016
【図１５】
2007015820.tif 000017
【図１６】
2007015820.tif 000018
【図１７】
2007015820.tif 000019
【図１８】
2007015820.tif 000020
【図１９】
2007015820.tif 000021